(57)【要約】【課題】モノタンクの小型・軽量化を図ることにより、Ｘ線診断装置の小型・軽量化を図る。【解決手段】Ｘ線管101とＸ線管を内蔵するための管球筒104とを固定し、Ｘ線管101とスターター・コイル102とを絶縁する絶縁筒一体型アノード固定部205を備え、この絶縁筒一体型アノード固定部205を管球筒204に固定する位置である接続部分206を、スターター・コイル102の位置よりＸ線管の焦点側にした。【選択図】図1
2016136483.tif 000002
【特許請求の範囲】
【請求項１】
高電圧回路とＸ線管を一つの容器に密封したモノタンクであって、
前記Ｘ線管を内蔵する管球筒と、
前記Ｘ線管の回転軸を回転させるスターター・コイルと、
前記Ｘ線管と前記管球筒とを固定し、前記Ｘ線管と前記スターター・コイルとを絶縁する絶縁筒一体型アノード固定部と、を備える、
ことを特徴とするモノタンク。
【請求項２】
請求項１記載のモノタンクであって、
前記絶縁筒一体型アノード固定部を前記管球筒に固定する位置を、前記スターター・コイル位置より前記Ｘ線管の焦点側とする、
ことを特徴とするモノタンク。
【請求項３】
請求項１記載のモノタンクであって、
前記Ｘ線管の回転軸方向の位置決めし、前記Ｘ線管と前記絶縁筒一体型アノード固定部とを固定し、電気的接続端子を兼ねるネジとスペーサーを備え、
前記スペーサーは前記ネジのネジ頭が隠れるザグリを有する、
ことを特徴とするモノタンク。
【請求項４】
請求項１記載のモノタンクであって、
前記Ｘ線管の回転軸方向の位置決めし、前記Ｘ線管と前記絶縁筒一体型アノード固定部とを固定するネジとスペーサーを備え、
前記スペーサーと前記Ｘ線管との間に高電圧配線を有する、
ことを特徴とするモノタンク。
【請求項５】
請求項１記載のモノタンクであって、
前記スターター・コイルを固定した前記絶縁筒一体型アノード固定部に、前記スターター・コイルの抜け止めが固定されている、
ことを特徴とするモノタンク。
【請求項６】
Ｘ線管部と、
Ｘ線管を内蔵する管球筒と、
前記Ｘ線管の回転軸を回転させるスターター・コイルと、
前記Ｘ線管と前記管球筒とを固定し、前記Ｘ線管と前記スターター・コイルとを絶縁する絶縁筒一体型アノード固定部と、を備える、
ことを特徴とするＸ線管装置。
【請求項７】
請求項６記載のＸ線管装置であって、
前記絶縁筒一体型アノード固定部を前記管球筒に固定する位置を、前記スターター・コイル位置より前記Ｘ線管の焦点側とする、
ことを特徴とするＸ線管装置。
【請求項８】
請求項６記載のＸ線管装置であって、
前記Ｘ線管の回転軸方向の位置決めし、前記Ｘ線管と前記絶縁筒一体型アノード固定部とを固定し、電気的接続端子を兼ねるネジとスペーサーを備え、
前記スペーサーは前記ネジのネジ頭が隠れるザグリを有する、
ことを特徴とするＸ線管装置。
【請求項９】
請求項６記載のＸ線管装置であって、
前記Ｘ線管の回転軸方向の位置決めし、前記Ｘ線管と前記絶縁筒一体型アノード固定部とを固定するネジとスペーサーを備え、
前記スペーサーと前記Ｘ線管との間に高電圧配線を有する、
ことを特徴とするＸ線管装置。
【請求項１０】
請求項６記載のＸ線管装置であって、
前記スターター・コイルを固定した前記絶縁筒一体型アノード固定部に、前記スターター・コイルの抜け止めが固定されている、
ことを特徴とするＸ線管装置。
【請求項１１】
高電圧回路とＸ線管を一つの容器に密封したモノタンクと、Ｘ線絞り装置と、制御回路とを備え、
前記モノタンクは、前記Ｘ線管を内蔵する管球筒と、前記Ｘ線管の回転軸を回転させるスターター・コイルと、前記Ｘ線管と前記管球筒とを固定し、前記Ｘ線管と前記スターター・コイルとを絶縁する絶縁筒一体型アノード固定部とを有する、
ことを特徴とするＸ線診断装置。
【請求項１２】
請求項１１記載のＸ線診断装置であって、
前記モノタンクの前記絶縁筒一体型アノード固定部を前記管球筒に固定する位置を、前記スターター・コイル位置より前記Ｘ線管の焦点側とする、
ことを特徴とするＸ線診断装置。
【請求項１３】
請求項１１記載のＸ線診断装置であって、
前記モノタンクは、前記Ｘ線管の回転軸方向の位置決めし、前記Ｘ線管と前記絶縁筒一体型アノード固定部とを固定し、電気的接続端子を兼ねるネジとスペーサーを備え、
前記スペーサーは前記ネジのネジ頭が隠れるザグリを有する、
ことを特徴とするＸ線診断装置。
【請求項１４】
請求項１１記載のＸ線診断装置であって、
前記モノタンクは、前記Ｘ線管の回転軸方向の位置決めし、前記Ｘ線管と前記絶縁筒一体型アノード固定部とを固定するネジとスペーサーを備え、前記スペーサーと前記Ｘ線管との間に高電圧配線を有する、
ことを特徴とするＸ線診断装置。
【請求項１５】
請求項１１記載のＸ線診断装置であって、
前記モノタンクの前記スターター・コイルを固定した前記絶縁筒一体型アノード固定部に、前記スターター・コイルの抜け止めが固定されている、
ことを特徴とするＸ線診断装置。
【発明の詳細な説明】
【技術分野】
【０００１】
本発明は、Ｘ線診断装置に使用するモノタンクの小型軽量化のための技術に関する。
【背景技術】
【０００２】
Ｘ線診断装置を構成するモノタンクは、Ｘ線管部と、高電圧を生成する高電圧変圧器、整流回路、Ｘ線管、検出回路などにより構成され、場合によっては倍電圧整流回路やコック・クロフト回路などの昇圧・整流回路も構成している。モノタンクを利用するＸ線診断装置としては、院内を回診する回診車、術中に使用する移動型外科用Ｃアーム装置、胸部集団検診に使用する胸部検診撮影装置、低出力な一般撮影装置などがある。このモノタンクで構成されるＸ線診断装置に関する先行技術文献としては、特許文献１、特許文献２などがある。
【先行技術文献】
【特許文献】
【０００３】
【特許文献１】特開平０６−１１１９９１号公報
【特許文献２】特開平０７−３３５３８９号公報
【発明の概要】
【発明が解決しようとする課題】
【０００４】
上述したモノタンクは、高電圧ケーブルを構成しないため電気的安全性が高い、操作性がよいなどの半面、質量が大きくなる傾向となり、それによりモノタンクを固定・支持する支持器も高強度・高質量な支持器となり、システム全体の小型・軽量への負担となっていた。すなわち、Ｘ線診断装置などのシステム全体の小型・軽量化には、モノタンクの小型・軽量化が必須である。モノタンク、とくにそのＸ線管部のＸ線管陽極部分の小型・軽量化をするためには、これらの部品の数を減らしたり、部品寸法を短くしたり、高電圧の部分を小さくしたりする必要があった。
【０００５】
本発明の目的は、小型・軽量化、特にＸ線管陽極部分の小型・軽量化を実現することが可能なモノタンク、Ｘ線管装置、及びＸ線診断装置を提供することにある。
【課題を解決するための手段】
【０００６】
本発明においては、上記の目的を達成するため、高電圧回路とＸ線管を一つの容器に密封したモノタンクであって、Ｘ線管を内蔵する管球筒と、Ｘ線管の回転軸を回転させるスターター・コイルと、Ｘ線管と管球筒とを固定し、Ｘ線管とスターター・コイルとを絶縁する絶縁筒一体型アノード固定部とを備える構成のモノタンクを提供する。
【０００７】
また、本発明においては、上記の目的を達成するため、Ｘ線管部と、Ｘ線管を内蔵する管球筒と、Ｘ線管の回転軸を回転させるスターター・コイルと、Ｘ線管と管球筒とを固定し、Ｘ線管とスターター・コイルとを絶縁する絶縁筒一体型アノード固定部とを備える構成のＸ線管装置を提供する。
【０００８】
更に、本発明においては、上記の目的を達成するため、高電圧回路とＸ線管を一つの容器に密封したモノタンクと、Ｘ線絞り装置と、制御回路とを備え、モノタンクは、Ｘ線管を内蔵する管球筒と、Ｘ線管の回転軸を回転させるスターター・コイルと、Ｘ線管と管球筒とを固定し、Ｘ線管とスターター・コイルとを絶縁する絶縁筒一体型アノード固定部とを有する構成のＸ線診断装置を提供する。
【発明の効果】
【０００９】
本発明によれば、絶縁筒一体型アノード固定部により、モノタンクの軽量化、小型化を図ることができる。また、Ｘ線診断装置の小型・軽量化に貢献できる。
【図面の簡単な説明】
【００１０】
【図１】実施例１に係る、モノタンクのＸ線管部の陽極部分の一例を示す構造図である。
【図２】実施例２に係る、モノタンクのＸ線管部の陽極部分の一例を示す構造図である。
【図３】実施例１、２に係る、移動型Ｘ線診断装置(回診車)の外観図を示す図である。
【図４】実施例１、２に係る、モノタンクの内部構成の一例を示す図である。
【図５】従来のモノタンクのＸ線管部の一構成を示す構造図である。
【発明を実施するための形態】
【００１１】
以下、本発明の実施例を添付図面の図1−図4に基づいて説明する。本発明の実施の形態を説明するための全図において、同一機能を有するものは同一符号を付け、その繰り返しの説明は省略する。
【００１２】
なお、比較のため、図5に従来のモノタンクのＸ線管部の一構成の構造図を示した。同図において、Ｘ線管101は、高電圧が印加されＸ線を出力する。スターター・コイル102は、回転陽極管型のＸ線管101の回転陽極の軸、すなわちＸ線管の回転軸を回転させる。遮へい体103は材質が鉛であり不要なＸ線を遮へいする。管球筒104はＸ線管101やスターター・コイル102を内蔵し、電圧をシールドする効果もある。絶縁筒105はスターター・コイル102を固定するとともに、Ｘ線管101とスターター・コイル102とを絶縁し、さらにはＸ線管101及びスターター・コイル102を管球筒104に内蔵・固定する機能もある。また絶縁筒105には絶縁油の循環を促すための穴が数か所ある。絶縁筒105の材料は、エポキシ樹脂などがある。
【００１３】
アノード固定部106は、管球筒104、絶縁筒105とそれぞれ繋がり、その繋がりによりＸ線管101を固定している。アノード固定部106の材料は、ガラスエポキシ樹脂積層、エポキシ樹脂などがある。形状は円盤状をしており、中心は絶縁筒105を固定するためのネジ加工が施され、管球筒104との固定はネジによるため外周にもネジ加工が施されている。またアノード固定部106にも絶縁油の循環を促すための穴が数か所ある。
【００１４】
円筒形状のスペーサー107の外周はネジ加工が施され、このネジ加工により絶縁筒105に固定されている。これによりＸ線管101の回転軸方向の位置決め機能を有する。またスペーサー107の中心は穴加工が施され、ネジ109が通ることにより、電気的接続端子としての機能を有するほか、Ｘ線管101の固定機能も有する。高電圧配線材108はモノタンク内で昇圧された高電圧をＸ線管101に印加・供給する配線材で、先端は丸型端子などの加工が施されている。ネジ109は、高電圧配線材108をスペーサー107に接続・固定するネジであるとともに、Ｘ線管101とスペーサー107を固定する機能もある。
【００１５】
カソード固定部601はX線管101のカソード部分を管球筒104に固定するものである。また、カソード蓋602はX線管101のカソード側を絶縁するものである。上記のように、図5のＸ管部の構成にあっては、管球筒104からＸ線管101までの繋がりは、管球筒104とアノード固定部106、アノード固定部106と絶縁筒105、絶縁筒105とスペーサー107、スペーサー107とＸ線管101及びネジ109により、繋がり、固定されている。そのため、管球筒104はスターター・コイル102を内蔵する構成になり、その長さが長くなる。
【実施例１】
【００１６】
実施例１に係る、絶縁筒一体型アノード固定部を用いて小型・軽量化を実現するモノタンク、及びそれを利用したＸ線診断装置を、図1、図3、図4を用いて説明する。
【００１７】
まず、図3に本実施例のモノタンクを装備するX線診断装置の一例である移動型X線装置(回診車)の一構成例の外観図を示す。同図において、移動台車301はモノタンクなどを制御する制御回路等を内蔵し、支柱303を保持している。また移動台車301が移動できるように、キャスター302も装備している。支柱303はアーム304を保持している。アーム304は、Ｘ線発生部である本実施例に係るモノタンク305を保持する機構であり、パンタ・アーム方式やテレスコピック・アーム方式などがある。モノタンク305には、図4に示すように、高電圧変圧器、整流回路、X線管、検出回路などを内蔵している。X線絞り装置306はX線を遮へいするためのものであり、モノタンク305に繋がっている。
【００１８】
次に、図4を用いて、本実施例のモノタンク305の内部構成の一構成例を説明する。外装ケース401は、モノタンク305の外装（シャーシ）であり、主材料は鉄やアルミニウムなどである。外装ケース401内、すなわち容器内は絶縁油で満たされている。後で説明するように、Ｘ線管部402はX線管等を内蔵し、Ｘ線管部402に設置されたX線管に以下で説明する高電圧回路により高電圧を印加するとX線を出力する。モノタンク305内の主変圧器403は交流電圧を昇圧し、X線負荷を出力するための変圧器である。X線出力定格に準じた負荷容量を要する。本明細書において、Ｘ線管装置（所謂ハウベ）とは、外装ケース401とＸ線管部402を備えて構成され、Ｘ線管装置の外装ケース401内には主変圧器403等の高電圧回路等の部品を備えていないものを称している。
【００１９】
加熱変圧器404はX線管の陰極（カソード）であるフィラメントを点灯し、高電圧と絶縁するための変圧器である。昇圧回路405は主変圧器403からの交流出力電圧を更に昇圧し、交流を直流に整流する回路である。この高電圧回路である昇圧回路としては、例えば、コック・クロフト回路や倍電圧回路などがある。検出回路406は、X線管に印加される電圧を分圧し、外装ケース401の外部である移動台車に設置された制御回路へフィードバックするための回路である。ベローズ407はモノタンクの外装ケース401内の圧力を一定に保持するものである。すなわち、外装ケース401内の温度が上昇し、容器内の絶縁油の容量が増加することに伴う圧力上昇を軽減・吸収するものである。ターミナル408は、外部の制御回路と外装ケース401内の検出回路406との配線を行うためのターミナルである。
【００２０】
図1は、実施例１に係るモノタンクのＸ線管部の陽極部分の構成の一例を示す構造図である。同図では、Ｘ線管部の陰極部分のカソード固定部やカソード蓋等の構成は図示を省略してある。同図に示すように、本実施例におけるＸ線管部の不要なＸ線を遮へいする遮へい体203は、図5に示した従来の遮へい体103よりも寸法が短い。また、Ｘ線管101やスターター・コイル102を内蔵する管球筒204は、管球筒104よりも寸法が短い。本実施例における絶縁筒一体型アノード固定部205は、図5に示した絶縁筒105の機能とアノード固定部106の機能を併せ持つ。なお、Ｘ線管101の焦点、すなわち、陰極（カソード）から発した電子が絞り込まれて回転陽極に衝突する点は、図1の絶縁筒一体型アノード固定部205の接続部分206より右側に位置する。本実施例の絶縁筒一体型アノード固定部205を用いる構成により、二つの部品が一つの部品に集約され、外観寸法を小さくすることができ、軽量化を実現できる。
【００２１】
本実施例の絶縁筒一体型アノード固定部205の特長点は、スターター・コイル102よりもＸ線管101の焦点側で、絶縁筒一体型アノード固定部205が管球筒204に繋がり、固定されていることである。これにより、遮へい体203及び管球筒204は、図5に示した遮へい体103及び管球筒104よりも短い寸法で構成することができ、軽量化することができる。また、従来は遮へい体103、管球筒104、及びアノード固定部106に閉ざされていたスターター・コイル102近傍に新たに空間が形成され、この空間に検出回路の基板を配置することも可能となるため、小型化に貢献することができる。
【００２２】
図1に示した絶縁筒一体型アノード固定部205と管球筒204とが繋がる接続部分206は、スターター・コイル102よりもＸ線管101の焦点側の遠い位置での固定が望ましい。理由は、Ｘ線管101の重心位置がＸ線管101のターゲットに近い位置にあり、ターゲットに近い位置での固定が、機械強度的に有利に働くからである。しかし、どこまでも遠い位置でよいかというと、そうではなくＸ線管101のターゲット近傍が限界である。理由は、ターゲットからの強い散乱Ｘ線が直接、絶縁筒一体型アノード固定部205に当たることにより、絶縁筒一体型アノード固定部205の機械的強度等の劣化が生じる可能性があるためである。また本来求めているＸ線が出力（照射）する放射窓近傍での固定は、なおさらその傾向が高いからである。
【００２３】
更に、図1に示すように遮へい体203、及び管球筒204の寸法を絶縁筒一体型アノード固定部205の面位置まで短くできない理由は、遮へい体203によるＸ線遮へいによる。遮へい体203によるＸ線遮へいの機能のためには、絶縁筒一体型アノード固定部205の面位置からの長さ寸法はある程度確保しなければならない。絶縁筒一体型アノード固定部205と管球筒204とが繋がる接続部分206には、Ｘ線管筒104と同様に固定するためのネジ加工が施され、また絶縁油の循環を促すための穴も数か所ある。
【００２４】
本実施例の構成によれば、管球筒204及び遮へい体203が、図5の管球筒104及び遮へい体103よりも寸法が短くなり、かつ絶縁筒一体型アノード固定部205及びスタータ―・コイル102が管球筒204及び遮へい体203に隠れない状態となることで、スタータ―・コイル102への配線が容易とる。また、スターター・コイル102の側面に、図2に示す通り空間が形成できるので、モノタンク内の他の部品を配置、固定することもできるようになる。例えば、上述したように、検出回路406の基板などを、図2のスターター・コイル102の側面の空間に配置等可能となり、装置の小型化を実現できる。
【００２５】
次に、本実施例のＸ線管101における、高電圧配線材108近傍の構造について述べる。高電圧配線材108はネジ109を介して、Ｘ線管101の電極に接続する。また、スペーサー107は、Ｘ線管101の回転陽極の軸、すなわち回転軸方向の位置を決定し、また電気的接続端子としての機能を有するほか、Ｘ線管101の固定機能も有する。
【００２６】
以上説明した本実施例１の絶縁筒一体型アノード固定部を用いた構成により、絶縁筒とアノード固定部の双方の機能を有しながら軽量化でき、かつ管球筒や遮へい体の寸法を短くできることにより軽量化できる。また、スターター・コイル近傍にも低電圧回路（部品）を配置できるため小型化できる。その結果、モノタンク、及びそれを利用するＸ線診断装置の小型・軽量化が実現できる。
【実施例２】
【００２７】
次に、実施例2として、絶縁筒一体型アノード固定部を用いて小型・軽量化を実現するモノタンク、及びそれを利用したＸ線診断装置の他の実施例を説明する。
【００２８】
図2に、実施例2に係るモノタンクのＸ線管陽極部分の構成の構造図を示す。実施例2においては、実施例１の構成に加え、スタータ―・コイルの抜け止め210が追加され、スペーサー207にザグリ加工が施され、また、絶縁筒一体型アノード固定部に高電圧配線材を通すための穴211を有している。
【００２９】
本実施例の構成おいて、高電圧配線材108は、上述の絶縁筒一体型アノード固定部205に加工した穴211を通して、スペーサー207とＸ線管101との間に接続し、Ｘ線管101の電極に直接接続する。これにより高電圧配線材108の配線経路がＸ線管101の電極に近づくことにより、モノタンクのシャーシである外装ケース401などの接地電位部品をより、Ｘ線管101に近づけることができ、小型化に貢献できる。すなわち、本実施例では、Ｘ線管の回転軸方向の位置決めし、Ｘ線管と絶縁筒一体型アノード固定部とを固定するネジとスペーサーを備え、スペーサーとＸ線管との間に高電圧配線材108を直接接続する構成を有する。
【００３０】
更に図2に示すように、スペーサー207は、スペーサー107にネジ109の頭が隠れるだけの深み（凹部）であるザグリをザグリ加工で形成したものである。これにより、高電圧であるネジ109の頭の寸法（長さ）がＸ線管101の電極に近づくことにより、モノタンクの外装ケース401であるシャーシなどの接地電位部品を、よりＸ線管101に近づけることができ、更に、モノタンクのシャーシ寸法の小型化、軽量化に貢献できる。
【００３１】
図2に示すように、ネジ109をスペーサー207に引っ込むことにより、ネジ109及びスペーサー207の高電圧部品と、モノタンクのシャーシである外装ケース401との電位関係は、ほぼ平面対平面の関係となる。このため、図1に示すネジ109がスペーサー107から突出した状態で、モノタンクのシャーシとの電位関係が球面対平面の関係であるのに比較して、電界強度が小さくなるため、更にネジ109及びスペーサー207と、モノタンクのシャーシとの距離を短くすることが出来る。これにより、より一層のモノタンクのシャーシ寸法の小型化、軽量化が図れることになる。
【００３２】
スペーサー207は、スペーサー107同様、Ｘ線管101の回転陽極の軸である回転軸方向の位置決めを行う。また電気的接続端子としての機能を有するほか、Ｘ線管101の固定機能も有する。すなわち、本実施例の構成においては、Ｘ線管の回転軸方向の位置決めし、Ｘ線管と絶縁筒一体型アノード固定部とを固定し、更に電気的接続端子を兼ねるネジとスペーサーを備え、スペーサーはネジのネジ頭が隠れるザグリを有する。
【００３３】
また、本実施例の絶縁筒一体型アノード固定部205の、スターター・コイル102を固定する面には、絶縁筒一体型アノード固定部205の端部位置よりも奥に向かって長いネジ加工が施されている。一方、抜け止め210は、形状は円柱をしており、内側にはネジ加工が施されている。絶縁筒一体型アノード固定部205の外周に施されたネジに沿って、抜け止め210を押し進め、スターター・コイル102を押さえ、スターター・コイル102を所定位置に固定する。絶縁筒一体型アノード固定部205に固定しているスターター・コイル102が何らかの原因で外れ、絶縁筒一体型アノード固定部205に沿って移動した場合、高電圧配線材108に接触し、絶縁破壊することを防止することができる。
【００３４】
実施例2によれば、実施例1の効果に加え、高電圧配線材を絶縁筒一体型アノード固定部に加工した穴を通してＸ線管の電極に直接接続するため、モノタンクのシャーシなどの接地電位部品をより、Ｘ線管に近づけることができ、小型化に貢献できる。更に、スペーサーのザグリの深みにより、高電圧であるネジの頭の寸法（長さ）がＸ線管の電極に近づき、モノタンクのシャーシなどの接地電位部品をより、Ｘ線管に近づけることができ、より小型化に貢献できる。
【００３５】
以上詳述したように、本発明によれば、絶縁筒一体型アノード固定部により、絶縁筒とアノード固定部の双方の機能を有しながら軽量化でき、かつ管球筒や遮へい体の寸法を短くできることにより軽量化できる。また、スターター・コイル近傍にも低電圧回路基板・部品を配置できるため小型化できる。また、高電圧配線材を絶縁筒一体型アノード固定部に加工した穴を通してＸ線管の電極に直接接続するため、モノタンクのシャーシなどの接地電位部品をより、Ｘ線に近づけることができ、小型化に貢献できる。更に、スペーサーのザグリにより、モノタンクのシャーシなどの接地電位部品をより、Ｘ線管に近づけることができ、小型化に貢献できる。これにより、Ｘ線診断装置の小型、軽量化を図ることができる。
【００３６】
なお、本発明は上記した実施例に限定されるものではなく、様々な変形例が含まれる。上記した実施例は本発明のより良い理解のために詳細に説明したのであり、必ずしも説明の全ての構成を備えるものに限定されものではない。例えば、絶縁筒一体型アノード固定部と管球筒とが繋がる接続部分を、Ｘ線管の重心位置に近い位置とすることにより、機械的強度を上げることができるので、Ｘ線管陰極部分のカソード固定部を省略した構造とすることも可能である。また、ある実施例の構成の一部を他の実施例の構成に置き換えることが可能であり、また、ある実施例の構成に他の実施例の構成を加えることが可能である。また、各実施例の構成の一部について、他の構成の追加・削除・置換をすることが可能である。
【符号の説明】
【００３７】
101  Ｘ線管
102  スターター・コイル
103、203  遮へい体
104、204  管球筒
105  絶縁筒
106  アノード固定部
107、207  スペーサー
108  高電圧配線材
109  ネジ
205  絶縁筒一体型アノード固定部
206  接続部分
210  抜け止め
211  穴
301  移動台車
302  キャスター
303  支柱
304  アーム
305  モノタンク
306  X線絞り装置
401  外装ケース 
402  Ｘ線管部
403  主変圧器
404  加熱変圧器
405  昇圧回路
406  検出回路
407  ベローズ
408  ターミナル
601  カソード固定部
602  カソード蓋
【図１】
2016136483.tif 000003
【図２】
2016136483.tif 000004
【図３】
2016136483.tif 000005
【図４】
2016136483.tif 000006
【図５】
2016136483.tif 000007